(57)【要約】      （修正有）【課題】設計の自由度が高く既存の防雪柵を容易に補強・張替可能な補強・張替構造、及び防風防雪効果の高い防風防雪柵を提供すること。【解決手段】本発明の防風防雪柵の補強・張替構造は、複数のジョイント部と２つの固定縁２０とネット面１０を備え、ネット面１０が２本の既設支柱Ｂ１の前面側にオフセットした位置に展張されており、締結材３２の螺回によってネット面１０を左右に緊張可能に構成したことを特徴とする。本発明の防風防雪柵は、隣り合う２つの固定縁２０を１つのジョイント部の締結材３２の両端に連結したことを特徴とする。本発明のジョイント材３１は、挟持部３１ａと２つの連結片３１ｂを備え、２つの連結片３１ｂはそれぞれ両面を連通する複数のボルト孔を有することを特徴とする。【選択図】図４
2020051197.tif 000002
【特許請求の範囲】
【請求項１】
２本の既設支柱を有する防風防雪柵の補強・張替構造であって、
複数のジョイント部と、２つの固定縁と、ネット面と、を備え、
前記複数のジョイント部はそれぞれ、２つのジョイント材と、複数の締結材と、を有し、
前記２つのジョイント材はそれぞれ、前記既設支柱の外形に対応した内面形状を有する挟持部と、前記挟持部の両端から前記既設支柱の前後方向に延出する２つの連結片と、を有し、
前記既設支柱の左右両側に線対称に配置した前記２つのジョイント材の挟持部が、前記既設支柱を挟持しており、
前記複数の締結材が、前記２つのジョイント材の前後の前記連結片同士を左右に連通して締結結合しており、
前記２つの固定縁が、前記ネット面の両側辺と接続しており、
前記２つの既設支柱の前面側の前記締結材が、それぞれ前記固定縁と連結することで、前記ネット面が前記２本の既設支柱の前面側にオフセットした位置に展張されており、
前記締結材の螺回によって、前記固定縁を介して前記ネット面を左右に緊張可能に構成したことを特徴とする、
防風防雪柵の補強・張替構造。
【請求項２】
前記既設支柱が四角柱であり、前記挟持部が平面視コの字形状を呈することを特徴とする、請求項１に記載の防風防雪柵の補強・張替構造。
【請求項３】
前記既設支柱が円柱であり、前記挟持部が平面視Ｕ字形状を呈することを特徴とする、請求項１に記載の防風防雪柵の補強・張替構造。
【請求項４】
前記ジョイント部が、前記既設支柱に係止することで前記ジョイント部の水平回転を防止する回転防止手段を備えることを特徴とする、請求項３に記載の防風防雪柵の補強・張替構造。
【請求項５】
請求項１乃至４のいずれか一項に記載の防風防雪柵の補強・張替構造を、左右に連結してなる防風防雪柵であって、
隣り合う２つの前記固定縁を１つの前記ジョイント部の前面側の１本の前記締結材の両端に連結したことを特徴とする、
防風防雪柵。
【請求項６】
１つの前記ジョイント部に連結する２つの前記固定縁間の間隔が、前記既設支柱の幅より小さいことを特徴とする、請求項５に記載の防風防雪柵。
【請求項７】
防風防雪柵のジョイント材であって、
既設支柱の外形に対応した内面形状を有する挟持部と、
前記挟持部の両側端から相対する両方向に延出する２つの連結片と、を備え、
前記２つの連結片はそれぞれ両面を連通する複数のボルト孔を有し、
前記既設支柱の左右両側に２つのジョイント材を線対称に配置し、対応する前記２つの連結片のボルト孔に連通した複数のボルトナットを締結することで、前記既設支柱を前記挟持部で挟持して固定可能に構成したことを特徴とする、
ジョイント材。
【発明の詳細な説明】
【技術分野】
【０００１】
本発明は防風防雪柵の補強・張替構造、防風防雪柵、及びジョイント材に関し、特に設計の自由度が高く既存の防雪柵を容易に補強・張替可能な補強・張替構造、防風防雪効果の高い防風防雪柵、及び簡易な構造で以て支柱に容易に付設可能なジョイント材に関する。
【背景技術】
【０００２】
防風防雪柵は、多雪地域において、道路の風上側に設置して道路への風雪の吹込みや飛雪の吹き溜まりを防止する構造である。
防雪防雪柵には、柵を道路から離して設置し飛雪を柵の前後に堆積させる吹溜式、飛雪を高い柵で塞ぎ風上側に堆積させる吹止式、収束した風を柵の下部に設けた隙間から通過させて路面の雪を吹き払う吹払式等がある。
特許文献１及び２には、支柱の側方に連結した固定部材によって２本の支柱の間にベルトネットを展張した吹払式の防風防雪柵が開示されている。
防風防雪柵のネットが破損した場合、或いは既設のネットが十分な防風防雪効果を発揮できない場合、新しいネットやより性能の高いネットに張り替える必要が生じる。
【先行技術文献】
【特許文献】
【０００３】
【特許文献１】特開２０１７−１０６２８４号公報
【特許文献２】特開２００４−３１６４０３号公報
【発明の概要】
【発明が解決しようとする課題】
【０００４】
従来技術ではネットの張替作業に関する次のような課題がある。
＜１＞規格の異なるネットへ張り替える場合、ネットの規格に適合する位置に新たに固定用のボルトを取り付ける必要がある。これは、高所における既設支柱へ取付位置の正確な位置出し、穴空け、及びボルトの連結等の作業となるため、施工が困難で施工コストが嵩む。
＜２＞支柱から左右に突出した既設ネット用の支持ボルトが新設ネットに干渉するため、これを切断しなければ新設ネットを展張することができない。
＜３＞既設ネットを補強することができない。
【０００５】
従来技術では防風防雪柵の構造に関する次のような課題がある。
＜１＞隣り合う支柱の間にネットを展張する構造であるため、構造上ネットを最大に緊張してもネットと支柱の間に隙間が生じる。このため、支柱間の面積を最大限に利用することができず、支柱とネットの隙間から風や雪が通過することで、防風・防雪性能が損なわれる（図６）。
＜２＞風雪に対しネット間に支柱が露出する構造であるため、交換可能なネットのみならず構造部材としての支柱も風雪によるダメージを負う。支柱の補修や交換は容易でないため、維持管理費用が嵩む。
＜３＞ネットの展張面より前面側に支柱が突出するため、ネットの展張方向に向かって吹く風雪をネット面に沿って吹き流すことができず、支柱との隙間からネット背面側に取り込んでしまう。このため、防風・防雪性能が損なわれる。
【課題を解決するための手段】
【０００６】
以上の課題を解決する本発明の防風防雪柵の補強・張替構造は、複数のジョイント部と２つの固定縁とネット面を備え、ジョイント部がそれぞれ２つのジョイント材と複数の締結材を有し、２つのジョイント材がそれぞれ挟持部と２つの連結片を有し、２つのジョイント材の挟持部が既設支柱を挟持し、複数の締結材が２つのジョイント材を締結結合し、２つの固定縁がネット面と接続し、既設支柱前面側の締結材が固定縁と連結し、ネット面を既設支柱の前面側にオフセットし、締結材によってネット面を左右に緊張したことを特徴とする。
この構成によれば、設計の自由度が高く、簡易な構造と簡単な作業で既存の防雪柵を補強・張替することができる。
【０００７】
本発明の防風防雪柵の補強・張替構造は、挟持部が平面視コの字形状を呈していてもよい。
この構成によれば、ジョイント部を四角柱の既設支柱に確実に連結することができる。
【０００８】
本発明の防風防雪柵の補強・張替構造は、挟持部が平面視Ｕ字形状を呈していてもよい。
この構成によれば、ジョイント部を円柱の既設支柱に確実に連結することができる。
【０００９】
本発明の防風防雪柵の補強・張替構造は、ジョイント部が回転防止手段を備えていてもよい。
この構成によれば、ジョイント部が既設支柱に対し水平回転することを防止することができる。
【００１０】
本発明の防風防雪柵は、防風防雪柵の補強・張替構造を、左右に連結してなり、２つの固定縁を１つのジョイント部に連結したことを特徴とする。
この構成によれば、ネット面を支柱間距離以上の幅に展張可能であるため、高い防風・防雪性能を発揮することができる。
【００１１】
本発明の防風防雪柵は、固定縁間の間隔が既設支柱の幅より小さくてもよい。
この構成によれば、固定縁間を通過した風雪を既設支柱の前面で減勢することで、高い防風・防雪性能を発揮することができる。
【００１２】
本発明の防風防雪柵のジョイント材は、挟持部と２つの連結片を備え、２つの連結片は複数のボルト孔を有し、既設支柱の左右両側に線対称に配置して連結片同士をボルトナットで締結することで、既設支柱を挟持して固定可能であることを特徴とする。
この構成によれば、簡易な構造でありながら支柱を加工することなく容易に補強・張替することができる。
【発明の効果】
【００１３】
本発明の防風防雪柵の補強・張替構造は、以上の構成より次の効果のうち少なくとも一つを備える。
＜１＞支持ボルトの切断や支柱への穿孔などの加工を要せず、規格が異なるネットを簡易な作業で容易に張り替えることができる。
＜２＞ネット面が支柱の前面側にオフセットされるため、既設ネットを前面側から被覆して補強することができる。
＜３＞ネット面の高さを自由に調整できるため、吹止式から吹払式又はその逆へ、既設の防風防雪柵を設計変更することができる。
【００１４】
本発明の防風防雪柵は、以上の構成より次の効果のうち少なくとも一つを備える。
＜１＞ネット面を支柱の前面側にオフセットしたことにより、ネット面を、支柱間距離に制限されることなく、最大の面積で展張することができる。
＜２＞支柱とネット面の間に風雪が直進可能な隙間がなく、ネット面間の隙間を通った風雪は支柱の前面で受衝して減勢することができる。このため、高い防風・防雪性能を発揮することができる。
＜３＞支柱前方にオフセットしたネット面で支柱を被覆保護する構造であるため、風雪による支柱へのダメージを低減することができる。
＜４＞支柱がネット面の前面に突出しないため、ネット面に沿って吹く風雪の通りがよく、ネット面間の隙間から風雪を取り込みにくい。
＜５＞ネット面が支柱前面側にオフセットされるため、風下側の道路から見て開放感があり、通行者が高い柵による圧迫感を感じにくい。
【００１５】
本発明のジョイント材は、以上の構成より次の効果のうち少なくとも一つを備える。
＜１＞既設支柱に加工を施すことなく簡易な作業で容易に固定することができる。
＜２＞支柱挟み込み用のボルト穴をネット面連結ボルトの取付穴と兼用する合理的設計によって、部品数を減らし、補強・張替作業の材料コストを大幅に削減できる。
＜３＞取付け高さを自由に設定できるので、支柱に高低差があってもネット面を水平に保つことができる。
【図面の簡単な説明】
【００１６】
【図１】本発明に係る防風防雪柵の補強・張替構造の説明図。
【図２】本発明に係る防風防雪柵の補強・張替構造の説明図。
【図３】防風防雪柵の説明図。
【図４】取付間隔と支柱幅の関係を表す説明図。
【図５】実施例２の説明図。
【図６】従来技術の説明図。
【発明を実施するための形態】
【００１７】
以下、図面を参照しながら本発明の防風防雪柵の補強・張替構造、防風防雪柵、及びジョイント材について詳細に説明する。なお、ジョイント材については補強・張替構造の項内で説明する。
本発明において「縦」「上下」とは支柱の鉛直方向、「横」「左右」とはネット面の面方向、「前」とはネット面の風上側、「後」とはネット面の風下側を意味する。また、「補強」とは既設面材の前面にネット面を展張することを意味し、「張替」とは既設面材を取り外した既設支柱間に新たにネット面を展張することを意味する。
【実施例１】
【００１８】
[補強・張替構造]
＜１＞全体の構成（図１〜３）。
本発明の補強・張替構造１は、２本の既設支柱Ｂ１と１枚の既設面材Ｂ２を一単位とする既設柵Ｂの既設面材Ｂ２のみを張替える構造、又は既設柵Ｂを補強する構造である。
本例では、四角柱の既設支柱Ｂ１と、ベルトネットの既設面材Ｂ２とを有し、既設支柱Ｂ１の側面から左右に突起した支持ボルトＢ３によって既設面材Ｂ２を既設支柱Ｂ１に接続した既設柵Ｂに、本発明の補強・張替構造１を適用した例について説明する。
補強・張替構造１は、１つのネット面１０と、２つの固定縁２０と、複数のジョイント部３０と、を一単位として構成する。本例では、隣り合う２本の既設支柱Ｂ１に、上下に２つの補強・張替構造１を連続して取り付ける。
ネット面１０の左右両縁をそれぞれ固定縁２０と接続し、固定縁２０を既設支柱Ｂ１に付設したジョイント部３０の前方の連結片３１ｂと連結することで、ネット面１０を既設支柱Ｂ１から前面側にオフセットした位置に展張する。
本例では、既設柵Ｂ及び補強・張替構造１が吹払式の防雪柵である例について説明するが、これに限定されず、吹溜式若しくは吹止式の防雪柵、又は防風柵等であってもよい。
【００１９】
＜２＞ネット面。
ネット面１０は、風雪の通過を阻害する構成要素である。
本例では、ネット面１０として、ポリエステル繊維製のメッシュシートを採用する。ただしこれに限らず、風荷重や展張時の張力等に対する必要強度を備えさえしていれば、ポリエチレン繊維、アラミド繊維等の他の公知の素材を採用してもよい。また、繊維の表面に樹脂コーティングを施してもよい。
ネット面１０の目合い、開口率、強度などは本発明の本質でないため、ここでは詳述しない。
【００２０】
＜３＞固定縁。
固定縁２０は、ネット面１０を縁部でジョイント部３０に連結する構成要素である。
本例では、固定縁２０として、ネット面１０の側辺に接続する長尺の縁部２１と、縁部２１の背面から突出する控え部２２の組み合わせを採用する。縁部２１と控え部２２には押出成形のアルミニウム材を採用する。
縁部２１は、ネット面１０の側辺を帯状に挟み込んで固定する。
控え部２２には、締結材３２を左右に挿通可能な複数のボルト孔を有する。
【００２１】
＜４＞ジョイント部（図２）。
ジョイント部３０は、固定縁２０を既設支柱Ｂ１に連結する構成要素である。
ジョイント部３０は、１つの固定縁２０に少なくとも上下２つずつ付設する。
ジョイント部３０は、２つのジョイント材３１と、複数の締結材３２と、を有する。
既設支柱Ｂ１の左右両側に２つのジョイント材３１を線対称に配置し、これを複数の締結材３２で締結結合することで、２つのジョイント材３１で既設支柱Ｂ１を挟持してジョイント部３０を固定することができる。
本発明の補強・張替構造１は、既設支柱Ｂ１をジョイント材３１で挟持して固定する構造であるため、ジョイント部３０を既設支柱Ｂ１の任意の高さに設置することができる。
このため、既設支柱Ｂ１とネット面１０等の規格差を吸収することができるので設計の自由度が高い。また、ジョイント部３０と既存の支持ボルトＢ３の干渉を回避することができる。
【００２２】
＜４．１＞ジョイント材。
ジョイント材３１は、既設支柱Ｂ１を挟持する構成要素である。
ジョイント材３１は、既設支柱Ｂ１の外形に対応した内面形状を有する挟持部３１ａと、挟持部３１ａの両端から既設支柱Ｂ１の前後方向に延出する２つの連結片３１ｂと、を有する。
本例では、ジョイント材３１として、四角柱の既設支柱Ｂ１に対応する平面視コの字形状の挟持部３１ａと連結片３１ｂを一体に構成した鋼材を採用する。
連結片３１ｂには両面を貫通する１つ以上のボルト孔を設ける。本例では、各連結片３１ｂに上下２つのボルト孔を設ける。
ジョイント材３１は、既設支柱Ｂ１を挟持して固定する構造であるため、既設支柱Ｂ１への加工を必要とせず容易に固定することができる。
なお、既設支柱Ｂ１を挟持する２つのジョイント材３１は同一寸法である必要はなく、例えば既設支柱Ｂ１の幅に合わせて、コの字内面の浅さが異なる２つのジョイント材３１を組み合わせてもよい。
また、ジョイント材３１の用途は、既存の防風防雪柵の補強・張替に限らず、防風防雪柵の新設においても利用することができる。
【００２３】
＜４．２＞締結材。
締結材３２は、２つのジョイント材３１を連結するとともにネット面１０に張力を付与する構成要素である。
締結材３２は、ボルト３２ａ、ナット３２ｂ、及びネジ棒３２ｃの組み合わせからなる。
本例では、１つのジョイント部３０について、３本のボルト３２ａ、７個のナット３２ｂ、及び１本のネジ棒２３ｃを使用する。
この内、後方の連結片３１ｂには、上下２本のボルト３２ａを左右に連通してそれぞれにナット３２ｂを１個ずつ締結する。
前方の連結片３１ｂには、下方は１本のボルト３２ａを左右に連通してナット３２ｂを１個締結し、上方はネジ棒３２ｃを左右に連通して２個のナット３２ｂで両側から挟みこむ。
残る２個のナット３２ｂは、ネジ棒３２ｃの左右両端を控え部２２のボルト孔に挿通した状態でネジ棒３２ｃに螺着して、控え部２２を連結片３１ｂ側に引き寄せて固定する（図４）。
【００２４】
＜５＞ネット面緊張機能。
本発明の補強・張替構造１は、締結材３２がネット面１０の緊張機能を兼備する点に特徴がある。
ネジ棒３２ｃ上の控え部２２の外側に螺着したナット３２ｂを締結方向に螺回することで、固定縁２０を連結片３１ｂ側に引き寄せてネット面１０全体に均等な緊張力を付与することができる（図４）。
同時に、一つのジョイント部３０に接続する左右の固定縁２０の取付間隔ｉを調整することができる。
【００２５】
[防風防雪柵]
＜１＞全体の構成（図３）。
本発明の防風防雪柵Ａは、複数の補強・張替構造１を、ネット面１０の面方向に連結してなる。
具体的には、既設支柱Ｂ１に付設した１つのジョイント部３０の前面側のネジ棒３２ｃの両端を、隣り合う２つの固定縁２０の控え部２２にそれぞれ挿通してナット３２ｂを螺着する（図４）。
これによって、固定縁２０とジョイント部３０を介して、複数のネット面１０を面方向に連続して連結することができる。
【００２６】
＜２＞オフセット構造（図４）。
本発明の防風防雪柵Ａは、ジョイント部３０によって、ネット面１０を既設支柱Ｂ１の前面側にオフセットした位置に展張した点に特徴を備える。
この構造により、ネット面１０の幅が２本の既設支柱Ｂ１間の距離に制限されないため、ネット面１０の展張面積を最大化して、高い防風・防雪性能を発揮することができる。
また、既設支柱Ｂ１がネット面１０の前面側に露出しないため、ネット面１０に沿って吹く風の通りがよく、風雪をネット面１０間の隙間へ取り込みにくい。
【００２７】
＜３＞取付間隔と支柱幅の関係（図４）。
本発明の防風防雪柵Ａにおいて、固定縁２０の縁部２１間の取付間隔ｉは、既設支柱Ｂ１の支柱幅ｗより小さいことが望ましい。
従来の防風防雪柵は、支柱の側方へ突出した支持ボルトとネット面の側辺とを連結していたため、支柱とネット面の間に隙間が生じていた。このため、隙間から風や雪が通過することで、防風・防雪性能が損なわれていた（図６）。
これに対し本発明の防風防雪柵Ａは、縁部２１間の取付間隔ｉを支柱幅ｗより小さく設定することによって、縁部２１間の進路がこれと直交する既設支柱Ｂ１の前面によって遮蔽される。
この構造によって、縁部２１間を通過した雪や風を既設支柱Ｂ１の前面で受けて減勢させることで、高い防風・防雪性能を発揮することができる。
【実施例２】
【００２８】
[既設支柱が円柱の実施例]
実施例１では、既設支柱が四角柱の例について説明したが、これに限られない。本例では、本発明の補強・張替構造を円柱に適用した例について説明する（図５）。
本例では、ジョイント材３１の挟持部３１ａが円柱に対応した平面視Ｕ字形状を呈する。
既設支柱Ｂ１が円柱の場合、ネット面１０が風圧等を受けることによってジョイント部３０が水平方向に回転するおそれがある。そこで、ジョイント部３０に、既設支柱Ｂ１に係止することで水平回転を防止する回転防止手段３３を備えてもよい。
本例では、回転防止手段３３として、連結片３１ｂに付設した板材を採用する。
複数のジョイント部３０のうち一つに、回転防止手段３３を付設して既設支柱Ｂ１の控え棒に当接させることで、ジョイント部３０の回転を防止する。
ただし回転防止手段３３はこれに限られず、例えば２つのジョイント材３１で既設支柱Ｂ１の支持ボルトＢ３を挟み込む構成等を採用してもよい。
【符号の説明】
【００２９】
１      補強・張替構造
１０    ネット面
２０    固定縁
２１    縁部
２２    控え部
３０    ジョイント部
３１    ジョイント材
３１ａ  挟持部
３１ｂ  連結片
３２    締結材
３２ａ  ボルト
３２ｂ  ナット
３２ｃ  ネジ棒
３３    回転防止手段
Ａ      防風防雪柵
Ｂ      既設柵
Ｂ１    既設支柱
Ｂ２    既設面材
Ｂ３    支持ボルト
ｉ      取付間隔
ｗ      支柱幅
【図１】
2020051197.tif 000003
【図２】
2020051197.tif 000004
【図３】
2020051197.tif 000005
【図４】
2020051197.tif 000006
【図５】
2020051197.tif 000007
【図６】
2020051197.tif 000008
【手続補正書】
【提出日】平成30年12月26日(2018.12.26)
【手続補正１】
【補正対象書類名】特許請求の範囲
【補正対象項目名】全文
【補正方法】変更
【補正の内容】
【特許請求の範囲】
【請求項１】
２本の既設支柱を有する防風防雪柵の補強・張替構造であって、
前記２本の既設支柱の連続方向を左右方向、平面視で左右方向と直交する方向を前後方向、前後方向のうち風雪が作用する側を前方と定義し、
複数のジョイント部と、２つの固定縁と、ネット面と、を備え、
前記複数のジョイント部はそれぞれ、２つのジョイント材と、複数の締結材と、を有し、
前記２つのジョイント材はそれぞれ、前記既設支柱の外形に対応した内面形状を有する挟持部と、前記挟持部の両端から前記既設支柱の前後方向に延出する２つの連結片と、を有し、
前記既設支柱の左右両側に線対称に配置した前記２つのジョイント材の挟持部が、前記既設支柱を挟持しており、
前記複数の締結材が、前記２つのジョイント材の前後の前記連結片同士を左右に連通して締結結合しており、
前記２つの固定縁が、前記ネット面の両側辺と接続しており、
前記２つの既設支柱の前面側の前記締結材が、それぞれ前記固定縁と連結することで、前記ネット面が前記２本の既設支柱の前面側にオフセットした位置に展張されており、
前記締結材の螺回によって、前記固定縁を介して前記ネット面を左右に緊張可能に構成したことを特徴とする、
防風防雪柵の補強・張替構造。
【請求項２】
前記既設支柱が四角柱であり、前記挟持部が平面視コの字形状を呈することを特徴とする、請求項１に記載の防風防雪柵の補強・張替構造。
【請求項３】
前記既設支柱が円柱であり、前記挟持部が平面視Ｕ字形状を呈することを特徴とする、請求項１に記載の防風防雪柵の補強・張替構造。
【請求項４】
前記ジョイント部が、前記既設支柱に係止することで前記ジョイント部の水平回転を防止する回転防止手段を備えることを特徴とする、請求項３に記載の防風防雪柵の補強・張替構造。
【請求項５】
請求項１乃至４のいずれか一項に記載の防風防雪柵の補強・張替構造を、左右に連結してなる防風防雪柵であって、
隣り合う２つの前記固定縁を１つの前記ジョイント部の前面側の１本の前記締結材の両端に連結したことを特徴とする、
防風防雪柵。
【請求項６】
１つの前記ジョイント部に連結する２つの前記固定縁間の間隔が、前記既設支柱の幅より小さいことを特徴とする、請求項５に記載の防風防雪柵。
【手続補正３】
【補正対象書類名】明細書
【補正対象項目名】０００１
【補正方法】変更
【補正の内容】
【０００１】
本発明は防風防雪柵の補強・張替構造及び防風防雪柵に関し、特に設計の自由度が高く既存の防雪柵を容易に補強・張替可能な補強・張替構造、及び防風防雪効果の高い防風防雪柵に関する。
【手続補正４】
【補正対象書類名】明細書
【補正対象項目名】００１７
【補正方法】変更
【補正の内容】
【００１７】
以下、図面を参照しながら本発明の防風防雪柵の補強・張替構造及び防風防雪柵について詳細に説明する。
本発明において「縦」「上下」とは支柱の鉛直方向、「横」「左右」とはネット面の面方向、「前」とはネット面の風上側、「後」とはネット面の風下側を意味する。また、「補強」とは既設面材の前面にネット面を展張することを意味し、「張替」とは既設面材を取り外した既設支柱間に新たにネット面を展張することを意味する。